(57)【要約】【課題】医用情報の参照において、効率のよい参照が可能な医用情報参照システム及び医用情報参照方法を提供する。【解決手段】参照に用いる医用情報ビューア１２の識別情報と携帯情報端末３０の識別情報を携帯情報端末３０から管理サーバ１４に供給し、更に、管理サーバ１４は、これらの情報に基づいて検索条件を作成して医用情報サーバ１３に供給する。医用情報サーバ１３は、予め保存された複数の患者の医用情報に関する第１の医用情報リストから前記検索条件に適合した第２の医用情報リストを作成し携帯情報端末３０に供給する。そして、携帯情報端末３０は、この第２の医用情報リストの中から所望の医用情報項目を選択し、この医用情報項目に対応した医用情報を医用情報ビューア１２にて表示する。【選択図】  図１
2005034207.tif 000002
【特許請求の範囲】
【請求項１】
医用情報の保管を行なう医用画像保管通信システムと、この医用画像保管通信システムに接続され医用情報を表示する複数の医用情報ビューアと、前記医用画像保管通信システムとの間で無線通信手段によって情報通信を行なう携帯情報端末を備え、
前記携帯情報端末は、
前記医用画像保管通信システムに対して、使用する医用情報ビューアの識別情報と自装置の識別情報を送信する識別情報送信手段と、
前記医用画像保管通信システムからの検索条件の中から少なくとも１つの実行検索条件を設定する検索条件設定手段と、
前記医用画像保管通信システムからの第２の医用情報の中から所望の医用情報項目を選択し、前記使用する医用情報ビューアへの表示指示を行なう医用情報項目選択手段とを有し、
前記医用画像保管通信システムは、
前記識別情報に対応した検索条件及び複数の患者に関する第１の医用情報を保管する情報保管手段と、
前記携帯情報端末からの前記医用情報ビューア及び前記携帯情報端末の識別情報に基づいて、前記情報保管手段から前記検索条件を取得し、前記無線通信手段によって前記携帯情報端末に送信する検索条件取得手段と、
前記携帯情報端末からの前記実行検索条件に基づいて、前記情報保管手段の前記第１の医用情報を検索して前記第２の医用情報を作成し、前記携帯情報端末に送信する医用情報作成手段と、
前記携帯情報端末からの前記医用情報項目の医用情報を前記使用する医用情報ビューアに供給する医用情報供給手段とを有し、
前記使用する医用情報ビューアは、
前記医用画像保管通信システムからの前記医用情報項目の医用情報を表示する表示手段を有することを特徴とする医用情報参照システム。
【請求項２】
医用情報の保管を行なう医用画像保管通信システムと、この医用画像保管通信システムに接続され医用情報を表示する複数の医用情報ビューアと、前記医用画像保管通信システムとの間で無線通信手段によって情報通信を行なう携帯情報端末を備え、
前記携帯情報端末は、
前記医用画像保管通信システムに対して、使用する医用情報ビューアの識別情報と自装置の識別情報を送信する識別情報送信手段と、
前記医用画像保管通信システムからの第２の医用情報の中から所望の医用情報項目を選択し、前記使用する医用情報ビューアへの表示指示を行なう医用情報項目選択手段とを有し、
前記医用画像保管通信システムは、
前記識別情報に対応した検索条件及び複数の患者に関する第１の医用情報を保管する情報保管手段と、
前記携帯情報端末からの前記医用情報ビューア及び前記携帯情報端末の識別情報に基づいて、前記情報保管手段から実行検索条件を取得し、前記無線通信手段によって前記携帯情報端末に送信する検索条件取得手段と、
前記実行検索条件に基づいて、前記情報保管手段の前記第１の医用情報を検索して前記第２の医用情報を作成し、前記携帯情報端末に送信する医用情報作成手段と、
前記携帯情報端末からの前記医用情報項目の医用情報を前記使用する医用情報ビューアに供給する医用情報供給手段とを有し、
前記使用する医用情報ビューアは、
前記医用画像保管通信システムからの前記医用情報項目の医用情報を表示する表示手段を有することを特徴とする医用情報参照システム。
【請求項３】
医用情報の保管を行なう医用画像保管通信システムと、この医用画像保管通信システムに接続され医用情報を表示する複数の医用情報ビューアと、前記医用画像保管通信システムとの間で無線通信手段によって情報通信を行なう携帯情報端末を備え、
前記携帯情報端末は、
医用情報参照計画の入力を行なう参照計画入力手段と、
前記医用画像保管通信システムに対して、使用する医用情報ビューアの識別情報、自装置の識別情報、及び前記医用情報参照計画を送信する送信手段と、
前記医用画像保管通信システムからの第２の医用情報の中から所望の医用情報項目を選択し、前記使用する医用情報ビューアへの表示指示を行なう医用情報項目選択手段とを有し、
前記医用画像保管通信システムは、
複数の患者に関する第１の医用情報を保管する医用情報保管手段と、
前記携帯情報端末からの前記医用情報参照計画に基づいて、前記医用情報保管手段の前記第１の医用情報を検索して前記第２の医用情報を作成し、前記携帯情報端末に送信する医用情報作成機能と、
前記携帯情報端末からの前記医用情報項目の医用情報を前記使用する医用情報ビューアに供給する医用情報供給手段とを有し、
前記使用する医用情報ビューアは、
前記医用画像保管通信システムからの前記医用情報項目の医用情報を表示する表示手段を有することを特徴とする医用情報参照システム。
【請求項４】
前記医用画像保管通信システムは、情報保管手段と医用情報供給手段と医用情報作成手段を有する医用情報サーバと、検索条件取得手段を有する管理サーバとを備えることを特徴とする請求項１又は請求項２に記載の医用情報参照システム。
【請求項５】
前記医用画像保管通信システムは、前記医用情報を前記使用する医用情報ビューアに表示する際、前記医用情報に対して所定の処理を行なう処理機能を有することを特徴とする請求項１乃至請求項３のいずれか１項に記載の医用情報参照システム。
【請求項６】
前記医用画像保管通信システムは、ネットワークを介して病院情報システムと接続されることを特徴とする請求項１乃至請求項３のいずれか１項に記載の医用情報参照システム。
【請求項７】
前記医用画像保管通信システムは、前記第２の医用情報に代えてインデックス画像の表示を行なうことを特徴とする請求項１乃至請求項３のいずれか１項に記載の医用情報参照システム。
【請求項８】
前記携帯情報端末は、前記使用する医用情報ビューアを選択する際、前記複数の医用情報ビューアの中から最短距離に設置されている医用情報ビューアを識別し、当該医用情報ビューアを選択することを特徴とする請求項１乃至請求項３のいずれか１項に記載の医用情報参照システム。
【請求項９】
前記携帯情報端末は、複数の医用情報ビューアから送信される電波を受信し、その受信感度から最短距離に設置されている医用情報ビューアを識別するビューア識別情報受信手段を有することを特徴とする請求項８記載の医用情報参照システム。
【請求項１０】
複数の患者から得られた医用情報の保管と供給を行なう医用情報サーバと、前記医用情報の検索条件を供給する管理サーバと、前記医用情報を表示する医用情報ビューアと、携帯情報端末を備え、
前記携帯情報端末は、
前記管理サーバに対して、使用する医用情報ビューアの識別情報と自装置の識別情報とを無線通信手段によって送信する識別情報送信手段と、
前記管理サーバからの検索条件の中から少なくとも１つの実行検索条件を設定し、前記無線通信手段によって前記医用情報サーバに送信する検索条件送信手段と、
前記医用情報サーバからの第２の医用情報の中から所望の医用情報項目を選択し、前記使用する医用情報ビューアへの表示指示を行なう医用情報項目選択手段とを有し、
前記管理サーバは、
前記検索条件を保管する条件保管手段と、
前記携帯情報端末からの前記識別情報に基づいて、前記条件保管手段から検索条件を取得し、前記無線通信手段によって前記携帯情報端末に送信する検索条件取得手段とを有し、
医用情報サーバは、
複数の患者に関する第１の医用情報を保管する医用情報保管手段と、
前記携帯情報端末からの前記実行検索条件に基づいて、前記医用情報保管手段の前記第１の医用情報を検索して前記第２の医用情報を作成し、前記無線通信手段によって前記携帯情報端末に送信する医用情報作成手段と、
前記携帯情報端末からの前記医用情報項目の医用情報を前記使用する医用情報ビューアに供給する医用情報供給手段とを有し、
前記使用する医用情報ビューアは、
前記医用情報サーバからの前記医用情報項目の医用情報を表示する表示手段を有することを特徴とする医用情報参照システム。
【請求項１１】
複数の患者から得られた医用情報の保管と供給を行なう医用情報サーバと、前記医用情報の検索条件を供給する管理サーバと、前記医用情報を表示する医用情報ビューアと、携帯情報端末を備え、
前記携帯情報端末は、
前記管理サーバに対して、使用する医用情報ビューアの識別情報と自装置の識別情報とを無線通信手段によって送信する識別情報送信手段と、
前記医用情報サーバからの第２の医用情報の中から所望の医用情報項目を選択し、前記使用する医用情報ビューアへの表示指示を行なう医用情報項目選択手段とを有し、
前記管理サーバは、
前記検索条件を保管する条件保管手段と、
前記携帯情報端末からの前記識別情報に基づいて、前記条件保管手段から実行検索条件を取得し、前記医用情報サーバに送信する検索条件取得手段とを有し、
前記医用情報サーバは、
複数の患者に関する第１の医用情報を保管する医用情報保管手段と、
前記管理サーバからの前記実行検索条件に基づいて、前記医用情報保管手段の前記第１の医用情報を検索して前記第２の医用情報を作成し、前記無線通信手段によって前記携帯情報端末に送信する医用情報作成手段と、
前記携帯情報端末からの前記医用情報項目の医用情報を前記使用する医用情報ビューアに供給する医用情報供給手段とを有し、
前記使用する医用情報ビューアは、
前記医用情報サーバからの前記医用情報項目の医用情報を表示する表示手段を有することを特徴とする医用情報参照システム。
【請求項１２】
前記携帯情報端末は、前記管理サーバからの複数の検索条件に対して絞りこみを行なうことを特徴とする請求項１０記載の医用情報参照システム。
【請求項１３】
医用画像を表示する医用画像ビューアにネットワークを介して画像データを送信する医用画像保管通信システムと通信可能に構成された携帯情報端末を備え、
前記携帯情報端末は、
前記医用画像ビューアを特定するための識別情報を取得する取得手段と、
前記医用画像保管通信システムから提供された情報に基づいて読影する医用画像を選択するための一覧を表示すると共に、その中から所望のものを選択する選択手段と、
前記選択手段により選択された医用画像を前記識別情報に対応する医用画像ビューアに転送するための指示を前記医用画像保管通信システムへ送信する送信手段とを備えることを特徴とする医用情報参照システム。
【請求項１４】
医用画像を表示する医用情報ビューアにネットワークを介して画像データを送信する医用画像保管通信システムを備え、
前記医用画像保管通信システムは、
ネットワークを介して通信可能に接続された携帯情報端末からの要求に応じて、読影する医用画像を選択するため情報を前記携帯情報端末に送信する手段と、
前記携帯情報端末から送られてきた前記医用画像ビューアを特定するための識別情報、及び、転送する画像を特定する情報に基づいて、これにより特定された医用画像を前記識別情報に対応する医用情報ビューアに転送する画像転送手段を備えたことを特徴とする医用情報参照システム。
【請求項１５】
医用情報の保管を行なう医用画像保管通信システムと、この医用画像保管通信システムに接続され医用情報を表示する複数の医用情報ビューアと、前記医用画像保管通信システムとの間で無線通信手段によって情報通信を行なう携帯情報端末を備える医用情報参照システムの医用情報参照方法であって、前記携帯情報端末より前記医用画像保管通信システムに対して、使用する医用情報ビューアの識別情報と当該携帯情報端末の識別情報を送信するステップと、
これらの識別情報に基づいて、前記医用画像保管通信システムの検索条件から実行検索条件を生成するステップと、
前記医用画像保管通信システムにおいて、当該医用画像保管通信システムに予め保管されている第１の医用情報から、前記実行検索条件に基づいて第２の医用情報を作成して、前記携帯情報端末に送信するステップと、
前記携帯情報端末において、前記第２の医用情報から所望の医用情報項目を選択するステップと、
前記使用する医用情報ビューアにおいて、前記医用情報項目の医用情報を表示するステップを有することを特徴とする医用情報参照方法。
【請求項１６】
医用情報の保管と供給を行なう医用画像保管通信システムと、この医用画像保管通信システムに接続され医用情報を表示する複数の医用情報ビューアと、前記医用画像保管通信システムとの間で無線通信手段によって情報通信を行なう携帯情報端末を備える医用情報参照システムの医用情報参照方法であって、
前記携帯情報端末において、医用情報参照計画を入力するステップと、
前記携帯情報端末より前記医用画像保管通信システムに対して、使用する医用情報ビューアの識別情報、当該携帯情報端末の識別情報、及び前記医用情報参照計画を送信するステップと、
前記医用画像保管通信システムにおいて、当該医用画像保管通信システムに予め保管されている第１の医用情報から、前記医用情報参照計画に基づいて第２の医用情報を作成して前記携帯情報端末に送信するステップと、
前記携帯情報端末において、前記第２の医用情報から所望の医用情報項目を選択するステップと、
前記医用情報ビューアにおいて、前記医用情報項目の医用情報を表示するステップを有することを特徴とする医用情報参照方法。
【請求項１７】
前記医用画像保管通信システムにおいて、前記医用情報を前記使用する医用情報ビューアに表示する際、前記医用情報に対して所定の処理を行なうステップを有することを特徴とする請求項１３又は請求項１４に記載の医用情報参照方法。
【発明の詳細な説明】
【０００１】
【発明の属する技術分野】
本発明は、医用情報参照システム及び医用情報参照方法に係り、特に携帯情報端末を用いることによって効率のよい参照を可能にした医用情報参照システム及び医用情報参照方法に関する。
【０００２】
【従来の技術】
従来よりＸ線ＣＴ装置、ＭＲＩ装置、Ｘ線装置、更には超音波診断装置などの医用画像診断装置によって得られる医用画像データや、心電計あるいは脳波計などの生体情報計測装置によって得られる生体情報計測データ、そして、これらのデータに対する所見レポートなどの医用情報を抽出して参照するための医用情報参照システムがある。特に、上記医用画像診断装置によって得られた医用画像データを保管するファイルシステム（医用情報サーバ）と、保管された医用画像データの中から所望の画像データを読み出して読影を行なうワークステーション（医用情報ビューア）とをネットワークを介して接続した医用画像情報管理システム（ＰＡＣＳ：ｐｉｃｔｕｒｅ  ａｒｃｈｉｖｉｎｇ  ｃｏｍｍｕｎｉｃａｔｉｏｎ  ｓｙｓｔｅｍｓ）が広く知られている。
【０００３】
このような医用情報参照システムによれば、医師は患者から得られた画像データあるいは生体情報計測データなど、各種医用情報の参照が必要な場合には、ワークステーションにおいてファイリングシステムから所望の医用情報を読み出して参照することが可能となる。この医用情報参照システムでは、一般に医師専用のワークステーションに上記医用情報が転送されるため、医師は専用ワークステーションが設置された場所から医用情報を参照しなくてはならないという問題点があった。これを解決する手法として、ネットワークにファイリングシステム、高速演算装置、更には複数のワークステーションを接続し、高速演算装置を用いてファイリングシステムに保存されている医用情報に対して信号処理を行なって各々のワークステーションの表示方式に変換することにより、医師はいずれのワークステーションからでも所望の医用情報の参照が可能となる方法が考案されている（例えば、特許文献１参照。）。
【０００４】
【特許文献１】
特開平８−１６１４６３号公報（第３−５頁、第１−４図）
【０００５】
【発明が解決しようとする課題】
しかしながら、従来の医療情報参照システムにおいては、医用情報の参照計画を設定する際、医師はワークステーションの入力デバイスを用いて行なわなくてはならないため、ワークステーションを占有する時間が増大するという問題点があった。特に、画像カンファレンスを行なう場合に、複数の医師がその都度参照計画をワークステーションに設定する従来の方法は効率が極めて悪かった。
【０００６】
本発明は、このような問題点に鑑みてなされたものであり、その目的は、携帯情報端末において予め設定した参照計画あるいは検索条件に基づいてワークステーションに所定の医用情報の表示を行なうことを可能とした医用情報参照システム及び医用情報参照方法を提供することにある。
【０００７】
【課題を解決するための手段】
前記課題を解決するために、請求項１に係る本発明の医用情報参照システムは、医用情報の保管を行なう医用画像保管通信システムと、この医用画像保管通信システムに接続され医用情報を表示する複数の医用情報ビューアと、前記医用画像保管通信システムとの間で無線通信手段によって情報通信を行なう携帯情報端末を備え、前記携帯情報端末は、前記医用画像保管通信システムに対して、使用する医用情報ビューアの識別情報と自装置の識別情報を送信する識別情報送信手段と、前記医用画像保管通信システムからの検索条件の中から少なくとも１つの実行検索条件を設定する検索条件設定手段と、前記医用画像保管通信システムからの第２の医用情報の中から所望の医用情報項目を選択し、前記使用する医用情報ビューアへの表示指示を行なう医用情報項目選択手段とを有し、前記医用画像保管通信システムは、前記識別情報に対応した検索条件及び複数の患者に関する第１の医用情報を保管する情報保管手段と、前記携帯情報端末からの前記医用情報ビューア及び前記携帯情報端末の識別情報に基づいて、前記情報保管手段から前記検索条件を取得し、前記無線通信手段によって前記携帯情報端末に送信する検索条件取得手段と、前記携帯情報端末からの前記実行検索条件に基づいて、前記情報保管手段の前記第１の医用情報を検索して前記第２の医用情報を作成し、前記携帯情報端末に送信する医用情報作成手段と、前記携帯情報端末からの前記医用情報項目の医用情報を前記使用する医用情報ビューアに供給する医用情報供給手段とを有し、前記使用する医用情報ビューアは、前記医用画像保管通信システムからの前記医用情報項目の医用情報を表示する表示手段を有することを特徴としている。
【０００８】
また、請求項２に係る本発明の医用画像保管通信システムは、医用情報の保管を行なう医用画像保管通信システムと、この医用画像保管通信システムに接続され医用情報を表示する複数の医用情報ビューアと、前記医用画像保管通信システムとの間で無線通信手段によって情報通信を行なう携帯情報端末を備え、前記携帯情報端末は、前記医用画像保管通信システムに対して、使用する医用情報ビューアの識別情報と自装置の識別情報を送信する識別情報送信手段と、前記医用画像保管通信システムからの第２の医用情報の中から所望の医用情報項目を選択し、前記使用する医用情報ビューアへの表示指示を行なう医用情報項目選択手段とを有し、前記医用画像保管通信システムは、前記識別情報に対応した検索条件及び複数の患者に関する第１の医用情報を保管する情報保管手段と、前記携帯情報端末からの前記医用情報ビューア及び前記携帯情報端末の識別情報に基づいて、前記情報保管手段から実行検索条件を取得し、前記無線通信手段によって前記携帯情報端末に送信する検索条件取得手段と、前記実行検索条件に基づいて、前記情報保管手段の前記第１の医用情報を検索して前記第２の医用情報を作成し、前記携帯情報端末に送信する医用情報作成手段と、前記携帯情報端末からの前記医用情報項目の医用情報を前記使用する医用情報ビューアに供給する医用情報供給手段とを有し、前記使用する医用情報ビューアは、前記医用画像保管通信システムからの前記医用情報項目の医用情報を表示する表示手段を有することを特徴としている。
【０００９】
更に、請求項３に係る本発明の医用情報参照システムは、医用情報の保管を行なう医用画像保管通信システムと、この医用画像保管通信システムに接続され医用情報を表示する複数の医用情報ビューアと、前記医用画像保管通信システムとの間で無線通信手段によって情報通信を行なう携帯情報端末を備え、前記携帯情報端末は、医用情報参照計画の入力を行なう参照計画入力手段と、前記医用画像保管通信システムに対して、使用する医用情報ビューアの識別情報、自装置の識別情報、及び前記医用情報参照計画を送信する送信手段と、前記医用画像保管通信システムからの第２の医用情報の中から所望の医用情報項目を選択し、前記使用する医用情報ビューアへの表示指示を行なう医用情報項目選択手段とを有し、前記医用画像保管通信システムは、複数の患者に関する第１の医用情報を保管する医用情報保管手段と、前記携帯情報端末からの前記医用情報参照計画に基づいて、前記医用情報保管手段の前記第１の医用情報を検索して前記第２の医用情報を作成し、前記携帯情報端末に送信する医用情報作成機能と、前記携帯情報端末からの前記医用情報項目の医用情報を前記使用する医用情報ビューアに供給する医用情報供給手段とを有し、前記使用する医用情報ビューアは、前記医用画像保管通信システムからの前記医用情報項目の医用情報を表示する表示手段を有することを特徴としている。
【００１０】
一方、請求項１５に係る本発明の医用情報参照方法は、医用情報の保管を行なう医用画像保管通信システムと、この医用画像保管通信システムに接続され医用情報を表示する複数の医用情報ビューアと、前記医用画像保管通信システムとの間で無線通信手段によって情報通信を行なう携帯情報端末を備える医用情報参照システムの医用情報参照方法であって、前記携帯情報端末より前記医用画像保管通信システムに対して、使用する医用情報ビューアの識別情報と当該携帯情報端末の識別情報を送信するステップと、これらの識別情報に基づいて、前記医用画像保管通信システムの検索条件から実行検索条件を生成するステップと、前記医用画像保管通信システムにおいて、当該医用画像保管通信システムに予め保管されている第１の医用情報から、前記実行検索条件に基づいて第２の医用情報を作成して、前記携帯情報端末に送信するステップと、前記携帯情報端末において、前記第２の医用情報から所望の医用情報項目を選択するステップと、前記使用する医用情報ビューアにおいて、前記医用情報項目の医用情報を表示するステップを有することを特徴としている。
【００１１】
また、請求項１６に係る本発明の医用情報参照方法は、医用情報の保管と供給を行なう医用画像保管通信システムと、この医用画像保管通信システムに接続され医用情報を表示する複数の医用情報ビューアと、前記医用画像保管通信システムとの間で無線通信手段によって情報通信を行なう携帯情報端末を備える医用情報参照システムの医用情報参照方法であって、前記携帯情報端末において、医用情報参照計画を入力するステップと、前記携帯情報端末より前記医用画像保管通信システムに対して、使用する医用情報ビューアの識別情報、当該携帯情報端末の識別情報、及び前記医用情報参照計画を送信するステップと、前記医用画像保管通信システムにおいて、当該医用画像保管通信システムに予め保管されている第１の医用情報から、前記医用情報参照計画に基づいて第２の医用情報を作成して前記携帯情報端末に送信するステップと、前記携帯情報端末において、前記第２の医用情報から所望の医用情報項目を選択するステップと、前記医用情報ビューアにおいて、前記医用情報項目の医用情報を表示するステップを有することを特徴としている。
【００１２】
従って、本発明によれば、携帯情報端末において医用情報参照計画を予め設定することによって、この参照計画に基づいて所望の医用情報を医用情報ビューアにおいて参照することができるため、効率のよい医用情報の参照を行なうことが可能となる。
【００１３】
【発明の実施の形態】
（第１の実施の形態）
本発明の第１の実施の形態の特徴は、携帯情報端末（ＰＤＡ）を用いて医用情報の参照を行なう際、この携帯情報端末に最も近い距離に設けられたワークステーション（以下では、医用情報ビューアと呼ぶ。）を指定すると共に、この医用情報ビューアの識別情報と携帯情報端末の識別情報に基づいて参照の対象となる医用情報のリストを携帯情報端末において生成することにある。
【００１４】
本発明の第１の実施の形態について図１乃至図４を用いて説明する。尚、図１は本実施の形態における医用情報参照システムの機能ブロック図であり、図２は医用情報の参照手順を示すフローチャートである。
【００１５】
（システムの構成）
図１の医用情報参照システム１０は、医用情報の保管と管理を行なう医用画像保管通信システム２０と、医用情報を表示する複数（Ｎ）の医用情報ビューア１２−１乃至１２−Ｎと、携帯情報端末３０とを備えている。また、医用画像保管通信システム２０は、医用情報を医用情報ビューア１２に供給する医用情報サーバ１３と、携帯情報端末３０に対して検索条件を供給する管理サーバ１４と、医用情報サーバ１３の医用情報に対して所定の画像処理あるいは信号処理を行なう処理部１５とを備えている。
【００１６】
そして、医用情報ビューア１２−１乃至１２−Ｎ、医用情報サーバ１３、管理サーバ１４、処理部１５はインターフェイス（Ｉ／Ｆ）１２６−１乃至１２６−Ｎ、１３３、１４３、１５４を介して医用画像保管通信システム２０のネットワーク１７に接続され、更に、このネットワーク１７には携帯情報端末３０との間で医用情報検索条件や医用情報リストなどの情報通信を行なう無線ＬＡＮ端末１６が接続されている。
【００１７】
一方、携帯情報端末３０は、入院患者データや医用情報ビューア１２−１乃至１２−Ｎの識別情報などを入力する入力部１１１と、入力部１１１から入力されるデータや医用情報ビューア１２−１乃至１２−Ｎの識別情報、管理サーバ１４から供給される検索条件、医用情報サーバ１３から供給される医用情報リストなどの情報を記憶するメモリ１１４と、これらの情報を表示する表示部１１２を備えている。また、操作者によって操作される入力部１１１は、表示部１１２において表示される検索条件や医用情報リストから１つ又は複数の検索条件あるいは医用情報の選択と、選択された医用情報の医用情報ビューア１２における表示の指示を行なう。
【００１８】
更に、携帯情報端末３０は、上記各ユニットの入出力制御を行なうＣＰＵ（中央演算ユニット）１１３と、ネットワーク１７の無線ＬＡＮ端末１６と無線通信によって各種情報の送受信を行なうための無線ＬＡＮ端末１１７を備えている。
【００１９】
医用情報ビューア１２−１は、メモリ１２１−１と、ＣＰＵ１２５−１と、表示部１２３−１を備えている。そして、メモリ１２１−１には携帯情報端末３０によって選択された医用情報が医用情報サーバ１３から送信され保存される。また、ＣＰＵ１２５−１は、携帯情報端末３０によって指定された医用情報をメモリ１２１−１から読み出し、表示部１２３−１の図示しないモニタに表示する。また、ＣＰＵ１２５−１及びメモリ１２１−１はインターフェイス１２６−１を介してネットワーク１７に接続されている。なお、図示していなが、他の医用情報ビューア１２−２乃至１２−Ｎについても同じ構成を有している。
【００２０】
一方、医用情報サーバ１３は、複数の医師によって収集された複数患者の画像データや生体情報計測データ、更には、これらのデータに対する所見データ等が一括保存されている大容量メモリ１３１と、これらのデータの入出力制御を行なうＣＰＵ１３２が備えられ、これらはインターフェイス１３３を介してネットワーク１７に接続されている。
【００２１】
管理サーバ１４は、医用情報ビューア１２−１乃至１２−Ｎの識別情報と携帯情報端末３０の識別情報に対応した検索条件が予め保存されているメモリ１４１と、携帯情報端末３０から無線ＬＡＮ１８を介して送られる医用情報ビューア１２−１の識別情報及び携帯情報端末３０の識別情報に基づいてメモリ１４１より検索条件を読み出すＣＰＵ１４２を備え、メモリ１４１及びＣＰＵ１４２はインターフェイス１４３を介してネットワーク１７に接続されている。
【００２２】
処理部１５は、高速演算器１５１と、信号処理前及び信号処理後の医用情報を一旦保存するメモリ１５２と、これらの医用情報の入出力制御を行なうＣＰＵ１５３を備えている。この内、高速演算器１５１は、医用情報サーバ１３の大容量メモリ１３１、あるいは医用情報ビューア１２−１のメモリ１２１−１に保存された医用情報を医用情報ビューア１２−１の表示部１２３−１に表示する際、医用情報ビューア１２−１の表示形式に適応するように、医用情報に対して所定の信号処理を行なう。また、高速演算部１５１は、医用情報サーバ１３の大容量メモリ１３１、あるいは医用情報ビューア１２−１のメモリ１２１−１に保存されている医用情報から、３次元画像データやサブトラクション画像データなどの新たな画像データを生成する際の画像処理を行なうことも可能である。これら高速演算器１５１、メモリ１５２及びＣＰＵ１５３はインターフェイス１５４を介してネットワーク１７に接続されている。
【００２３】
一方、無線ＬＡＮ端末１６は、ネットワーク１７とインターフェイス１４３あるいは１３３を介して管理サーバ１４のメモリ１４１とＣＰＵ１４２、あるいは医用情報サーバ１３の大容量メモリ１３１とＣＰＵ１３２に接続されており、携帯情報端末３０と管理サーバ１４、あるいは携帯情報端末３０と医用情報サーバ１３との間の情報の送受信を行なう。例えば、無線ＬＡＮ端末１６は、携帯情報端末３０から送られる携帯情報端末３０の識別情報及び医用情報ビューア１２−１の識別情報を受信して管理サーバ１４に供給し、そして、これらの識別情報に基づく検索条件を管理サーバ１４から得て携帯情報端末３０に送信する。また、携帯情報端末３０から送られる検索条件を受信して医用情報サーバ１３に供給し、そして、この検索条件に基づく医用情報リストを医用情報サーバ１３から得て携帯情報端末３０に送信する。
【００２４】
（医用情報参照の手順）
次に、本実施の形態における医用情報参照の手順について、図２を参照して説明する。但し、以下の実施の形態では、医師Ａが携帯情報端末３０を所有し、医用情報参照に使用する医用情報ビューア１２−１は内科領域に設置されているものとし、この医用情報ビューア１２−１の識別情報を「情報端末１」、医師ＡのＩＤを「ＤＡ」として説明する。
【００２５】
医師Ａは、所有する携帯情報端末３０を動作状態にしたならば、医用情報ビューア１２−１の識別情報「情報端末１」を携帯情報端末３０の入力部１１１から入力する（図２のステップＳ１）。
【００２６】
携帯情報端末３０のＣＰＵ１１３は、この入力された医用情報ビューア１２−１のビューア識別情報「情報端末１」と、携帯情報端末３０の識別情報である医師ＩＤ「ＤＡ」を携帯情報端末３０のインターフェイス１１６を介して無線ＬＡＮ端末１１７に送り、更に、無線ＬＡＮ１８によって医用画像保管通信システム２０の無線ＬＡＮ端末１６に送信する。そして、無線ＬＡＮ端末１６は、無線ＬＡＮ１８によって送信されたビューア識別情報「情報端末１」と医師ＩＤ「ＤＡ」（携帯情報端末３０の識別情報）を受信し、インターフェイス１４３を介して管理サーバ１４のＣＰＵ１４２に供給する（図２のステップＳ２）。
【００２７】
管理サーバ１４のメモリ１４１には、図３に示すように医師ＩＤ及びビューア識別情報に対応して検索条件が予め設定されている。例えば、医師ＩＤが「ＤＡ」であり、ビューア識別情報が「情報端末１」の場合には、医用情報参照の対象となる患者は医師Ａが担当する「内科の入院患者」、あるいは「内科の外来患者」であり、これらの情報が検索条件としてメモリ１４１に保存されている。
【００２８】
そして、管理サーバ１４のＣＰＵ１４２は、医師ＩＤ「ＤＡ」とビューア識別情報「情報端末１」をインターフェイス１４３を介して受信すると、メモリ１４１に保存されている検索条件の中から医師ＩＤ「ＤＡ」とビューア識別情報「情報端末１」に対応する検索条件「内科／入院患者」及び「内科／外来患者」を読み出す。そして、これらの検索条件をインターフェイス１４３及び無線ＬＡＮ端末１６を介して携帯情報端末３０の無線ＬＡＮ端末１１７に供給し、更に、インターフェイス１１６を介してメモリ１１４に保存する。一方、携帯情報端末３０のＣＰＵ１１３は、メモリ１１４から上記検索条件を読み出し、表示部１１２に表示する（図２のステップＳ３）。
【００２９】
このとき医師Ａは、表示部１１２に表示された検索条件を確認し、検索条件が複数の場合には必要に応じて絞りこみを行なう。例えば、上記２つの検索条件の中から「内科／入院患者」を最終的な検索条件（以下では、第２の検索条件と呼ぶ。）として設定する（図２のステップＳ４）。
【００３０】
次に、医師Ａによって、携帯情報端末３０の入力部１１１から第２の検索条件「内科／入院患者」に対する検索実効コマンドが入力されたならば、ＣＰＵ１１３は、このコマンド信号に従って第２の検索条件を無線ＬＡＮ１８を介して医用情報サーバ１３のＣＰＵ１３２に供給する。（図２のステップＳ５）。尚、携帯情報端末３０と医用画像保管通信システム２０間は、無線ＬＡＮ端末１１７−無線ＬＡＮ１８−無線ＬＡＮ端末１６間を用いた無線ＬＡＮ通信が行われるが、煩雑を避けるため以降の説明では省略する。
【００３１】
一方、医用情報サーバ１３の大容量メモリ１３１には、内科、小児科、外科、脳外科等における医用情報項目が掲載されている医用情報リスト（第１の医用情報リスト）と、この第１の医用情報リストに対応した医用情報が予め保存されている。
【００３２】
医用情報サーバ１３のＣＰＵ１３２は、これらの第１の医用情報リストの中から携帯情報端末３０からの上記第２の検索条件「内科／入院患者」に該当した医用情報項目を抽出して新たな医用情報リスト（以下では、第２の医用情報リストと呼ぶ。）を作成する。そして、この第２の医用情報リストは、医用情報サーバ１３から無線ＬＡＮ１８を介して携帯情報端末３０に送信され、メモリ１１４に保存される。そして、携帯情報端末３０のＣＰＵ１１３は、メモリ１１４に保存された第２の医用情報リストを表示部１１２に表示する。以上の手順によって携帯情報端末３０の表示部１１２には、第２の検索条件「内科／入院患者」に基づいて作成された第２の医用情報リストが表示される（図２のステップＳ６）。
【００３３】
図４は、第２の検索条件「内科／入院患者」によって新たに作成された第２の医用情報リストの具体例を示すものであり、この第２の医用情報リストには、例えば、内科の入院患者の情報として、ライン番号毎に、入院患者の患者ＩＤ、患者名、検査日、検査ＩＤ、検査方法などの医用情報項目が掲載されている。
【００３４】
次に、医師Ａは、携帯情報端末３０の表示部１１２に表示された上記第２の医用情報リストにおいて、所望のライン番号（例えば「Ｌ１」）の医用情報項目を選択するよう入力部１１１を操作し、更に、このライン番号「Ｌ１」の上記医用情報を医用情報ビューア１２−１に表示するための表示実効コマンドを入力部１１１より入力する（図２のステップＳ７）。
【００３５】
表示実効コマンドを受信した携帯情報端末３０のＣＰＵ１１３は、医師Ａによって選択されたライン番号「Ｌ１」の情報と、医用情報ビューア１２−１のビューア識別情報「情報端末１」を無線ＬＡＮ１８を介して医用情報サーバ１３のＣＰＵ１３２に供給する。
【００３６】
医用情報サーバ１３のＣＰＵ１３２は、携帯情報端末３０からの上記の情報を受信し、次いで、ライン番号「Ｌ１」の医用情報、即ち、患者ＩＤ「００１」のファイル名（即ち、検査に対応するデータの識別情報）「ＭＲＡ」を検索キーとして、当該患者のＭＲＩ画像データを大容量メモリ１３１から読み出す。そして、ＣＰＵ１３２は、このＭＲＩ画像データをビューア識別情報「情報端末１」に基づいて医用情報ビューア１２−１に供給する。
【００３７】
即ち、ライン番号「Ｌ１」に対応して大容量メモリ１３１から読み出された医用情報（ＭＲＩ画像データ）は、医用情報サーバ１３からインターフェイス１３３、ネットワーク１７、更にはインターフェイス１２６−１を介して医用情報ビューア１２−１に送信され、メモリ１２１−１に一旦保存される。次いで、医用情報ビューア１２−１のＣＰＵ１２５−１は、メモリ１２１−１に保存されている患者ＩＤ「００１」の医用情報を読み出し、表示部１２３−１に表示する（図２のステップＳ８）。
【００３８】
尚、医用情報サーバ１３のＣＰＵ１３２によって、大容量メモリ１３１から読み出された医用情報（例えば、ＭＲＩ画像データ）を医用情報ビューア１２−１にて表示する際に、この医用情報が医用情報ビューア１２−１の表示形式に対応していない場合、あるいは複数の画像データから３次元画像データやサブトラクション画像データを新たに生成する場合には、処理部１５において所定の信号処理あるいは画像処理が行なわれる。即ち、医用情報ビューア１２−１のＣＰＵ１２５−１はメモリ１２１−１からその医用情報（画像データ）を読み出し、インターフェイス１２６−１、ネットワーク１７、インターフェイス１５４を介して処理部１５に供給する。そして、処理部１５のＣＰＵ１５３は、その医用情報をメモリ１５２に保存する。
【００３９】
次に、処理部１５の高速演算器１５１は、メモリ１５２から上記医用情報を読み出し、同じメモリ１５２に予め保存されている処理プログラムに従って所定の信号処理を行った後、再びメモリ１５２に保存する。一方、処理部１５のＣＰＵ１５３は、信号処理が施された上記医用情報をメモリ１５２から読み出し、医用情報ビューア１２−１に供給する。即ち、患者ＩＤ「００１」の医用情報は処理部１５において所定の信号処理が行なわれた後、インターフェイス１５４、ネットワーク１７、更にはインターフェイス１２６を介して医用情報ビューア１２−１のメモリ１２１に保存され、表示部１２３−１のモニタに表示される。
【００４０】
（第１の実施の形態の変形例）
次に、本実施の形態の変形例について以下に述べる。この変形例の特徴は、管理サーバ１４にて選定された検索条件を携帯情報端末３０を返さず、医用情報サーバ１３に直接供給して医用情報リストを作成することにある。尚、以下の説明において、医師ＩＤ「ＤＡ」及びビューア識別情報「情報端末１」の管理サーバ１４への供給手順と、第２の医用情報リストにおける所望の医用情報の選択、及び表示の手順については上記第１の実施の形態と同様であるため説明を省略する。
【００４１】
管理サーバ１４のＣＰＵ１４２は、インターフェイス１４３を介して携帯情報端末３０から供給される医師ＩＤ「ＤＡ」とビューア識別情報「情報端末１」に基づいてメモリ１４１を検索して、対応する検索条件（例えば「内科／入院患者」及び「内科／外来患者」）を読み出し、この検索条件をインターフェイス１４３、ネットワーク１７、インターフェイス１３３を介して医用情報サーバ１３のＣＰＵ１３２に供給する。
【００４２】
すると、医用情報サーバ１３のＣＰＵ１３２は、大容量メモリ１３１に予め保存されている医用情報リストの中から、上記検索条件「内科／入院患者」及び「内科／外来患者」に対応した医用情報項目を抽出して第２の医用情報リストを作成し、この第２の医用情報リストを無線ＬＡＮ１８を介して携帯情報端末３０に送信し、携帯情報端末３０のＣＰＵ１１３はその第２の医用情報リストをメモリ１１４に保存する。次いで、ＣＰＵ１１３は、メモリ１１４から第２の医用情報リストを読み出し、表示部１１２に表示する。以上の手順によって、携帯情報端末３０の表示部１１２には検索条件「内科／入院患者」及び「内科／外来患者」に基づいて作成された第２の医用情報リストが表示され、医師Ａは、この第２の医用情報リストを用いて所望の医用情報の選択と表示の指示を行なう。
【００４３】
（第２の実施の形態）
次に、本発明の第２の実施の形態について、図５を用いて説明する。この第２の実施の形態の特徴は、携帯情報端末を有する医師から最短距離に設置されている医用情報ビューアを自動検出することにある。
【００４４】
図５は、この第２の実施の形態における医用情報参照システムの機能ブロック図であり、この図５の中で図１と同一の構成を有するユニットに対しては同一の符号を添付し、詳細な説明は省略する。
【００４５】
即ち、図５の医用情報参照システム４０は、医用情報の保管と管理を行なう医用画像保管通信システム５０と医用情報を表示する複数（Ｎ）の医用情報ビューア５２−１乃至５２−Ｎと携帯情報端末６０とを備えている。また、医用画像保管通信システム５０は、医用情報を医用情報ビューア５２に供給する医用情報サーバ１３と、携帯情報端末６０に対して検索条件を供給する管理サーバ１４と、医用情報サーバ１３の医用情報に対して所定の画像処理あるいは信号処理を行なう処理部１５とを備えている。
【００４６】
そして、医用情報ビューア１２−１乃至１２−Ｎ、医用情報サーバ１３、管理サーバ１４、処理部１５はインターフェイス１２６−１乃至１２６−Ｎ、１３３、１４３、１５４を介してネットワーク１７に接続され、更に、このネットワーク１７には携帯情報端末６０との間で医用情報検索条件や医用情報リストなどの情報通信を行なう無線ＬＡＮ端末１６が接続されている。そして、医用情報ビューア５２−１乃至５２−ＮのＣＰＵ１２５−１乃至１２５−Ｎには、携帯情報端末６０に対して所定周波数の電波を送信する送信部１２４−１乃至１２４−Ｎが新たに接続されている。但し、医用情報ビューア５２−２乃至５２−Ｎの送信部１２４−２乃至１２４−Ｎは図示されていない。
【００４７】
一方、携帯情報端末６０は、既に述べた入力部１１１、表示部１１２、ＣＰＵ１１３、メモリ１１４の他に、医用情報ビューア５２−１乃至５２−Ｎの各々から送信される固有の周波数の電波を受信し、その受信感度から携帯情報端末６０に対して最短距離にある医用情報ビューア５２を識別する受信部１１５を備えている。
【００４８】
以上述べた構成の医用情報参照システム４０において、携帯情報端末６０が医師Ａによって動作状態に設定されたならば、携帯情報端末６０の受信部１１５は、院内のネットワーク１７に接続されている医用情報ビューア５２−１乃至５２−Ｎの送信部１２４−１乃至１２４−Ｎが送信する異なる周波数の電波を受信し、これら周波数の中から最大受信感度を有する周波数を検出することによって、携帯情報端末６０に最短距離にある医用情報ビューア５２（ここでは、例えば医用情報ビューア５２−１とする。）を識別する。具体的には、ｂｌｕｅ  ｔｏｏｔｈ（Ｒ）等の通信規格を用いて通信を行なう。
【００４９】
次に、携帯情報端末６０のＣＰＵ１１３は、この医用情報ビューア５２−１の識別情報「情報端末１」と、携帯情報端末６０の識別情報あるいは携帯情報端末６０を所有する医師のＩＤ「ＤＡ」を無線ＬＡＮ１８を介して管理サーバ１４のＣＰＵ１４２に供給する。そして、ＣＰＵ１４２は、上記情報に対応する検索条件を読み出し、無線ＬＡＮ１８を介して携帯情報端末６０のメモリ１１４に送るとともに表示部１１２に表示する。尚、上記検索条件の表示以降の検索条件の絞りこみ、医用情報リストの作成、医用情報の選択と表示の手順については第１の実施の形態と同様であるため説明を省略する。
【００５０】
以上述べた本発明の実施の形態、及びその変形例によれば、医師は専用の携帯情報端末から、使用する医用情報ビューアの識別情報と前記携帯情報端末の識別情報（あるいは医師ＩＤ）を医用画像保管通信システムに送信することにより、医用情報ビューアが設置された領域の患者に関する医用情報リストを携帯情報端末において容易に表示することが可能となる。従って、医師は、表示された医用情報リストにおいて所望の医用情報の選択と表示の指示を行なうことによって医用情報ビューアに前記医用情報を即座に表示することが可能となるため、医用情報の参照を効率良く行なうことができる。
【００５１】
また、変形例によれば、携帯情報端末による検索条件の絞りこみを行なわないため、携帯情報端末において医用情報ビューアの識別情報と携帯情報端末の識別情報、あるいは医師ＩＤを医用画像保管通信システムに送信するのみで、携帯情報端末の表示部において医用情報リストを自動表示させることができ、更に、第２の実施の形態によれば携帯情報端末を使用する医用情報ビューアに近づけることによって医用情報ビューアの設置されている領域の患者に関する医用情報リストを携帯情報端末の表示部に自動表示することができるため、医用情報の参照効率を更に向上させることが可能となる。
【００５２】
尚、上記の第１の実施の形態において、携帯情報端末３０は、管理サーバ１４から供給される全ての検索条件に対して絞りこみを行なうことなく医用情報サーバ１３にそのまま供給してもよい。
【００５３】
（第３の実施の形態）
次に、本発明の第３の実施の形態について図６乃至図９を用いて説明する。この第３の実施の形態の特徴は、携帯情報端末を用いて医用情報の参照を行なう際、この携帯情報端末に予め設定した参照計画に基づいて所望の医用情報を、最寄りの医用情報ビューアにて表示することにある。
【００５４】
図６は、本発明の第３の実施の形態における医用情報参照システムの機能ブロック図であり、図７は本実施の形態における医用情報の参照手順を示すフローチャートである。
【００５５】
（システムの構成）
図６の医用情報参照システム７０は、医用情報の保管と管理を行なう医用画像保管通信システム８０と医用情報を表示する複数（Ｎ）の医用情報ビューア１２と携帯情報端末９０とを備えている。また、医用画像保管通信システム８０は、医用情報を医用情報ビューア１２に供給する医用情報サーバ１３と、医用情報サーバ１３の医用情報に対して所定の画像処理あるいは信号処理を行なう処理部１５とを備えている。そして、医用情報ビューア１２、医用情報サーバ１３、及び処理部１５はインターフェイス１２６、１３３、１５４を介してネットワーク１７に接続され、更に、このネットワーク１７には携帯情報端末９０との間で参照計画や医用情報リストなどの情報通信を行なう無線ＬＡＮ端末１６が接続されている。
【００５６】
一方、携帯情報端末９０は、医師などの操作者により患者データや医用情報ビューア１２の識別情報、あるいは参照計画が入力される入力部１１１と、入力部１１１から入力された上記データや医用情報サーバ１３から供給される医用情報リストなどの情報を記憶するメモリ１１４と、これらの情報を表示する表示部１１２を備えている。また、入力部１１１は、表示部１１２にて表示される医用情報リストから所望の医用情報の選択と、選択された医用情報の医用情報ビューア１２における表示の指示を行なう。
【００５７】
更に、携帯情報端末９０は、上記各ユニットの入出力制御を行なうＣＰＵ１１３と、医用情報サーバ１３に対し無線通信によって各種情報の送受信を行なうための無線ＬＡＮ端末１１７を備えている。
【００５８】
尚、医用情報ビューア１２、医用情報サーバ１３、処理部１５の基本構成については第１の実施の形態における各ユニットの構成と同様であるため詳細な説明は省略する。
【００５９】
（医用情報参照の手順）
次に、第３の実施の形態における医用情報参照の動作について説明する。但し、ここでは、携帯情報端末９０を所有した医師Ａが、内科に据付けられた医用情報ビューア１２を用いて入院患者に対する医用情報参照を行なう場合を想定して説明する。
【００６０】
携帯情報端末９０のメモリ１１４には、入院患者のリストが入力部１１１、又は医用情報サーバ１３から無線ＬＡＮ１８を介して予め供給され、保存されている。医師Ａは、これらの入院患者リストの中から医用情報参照の対象とする患者の選択、医用情報の参照条件や参照順序の設定などを含む参照計画を入力部１１１から入力して策定する（図７のステップＳ１１）。
【００６１】
図８（ａ）は、携帯情報端末９０のメモリ１１４に保存されている入院患者リストの一例であり、図８（ｂ）は上記入院患者リストから選択された患者ＩＤや患者名、参照条件及び参照順序を示す。
【００６２】
このようにして、医用情報参照計画が設定された携帯情報端末９０を所有する医師Ａは、内科の入院病棟に設置された医用情報ビューア１２のビューア識別情報「情報端末１」を携帯情報端末９０の入力部１１１から入力することによって、医用情報参照に使用する医用情報ビューア１２が設定される。即ち、携帯情報端末９０の入力部１１１から入力された医用情報ビューア１２のビューア識別情報「情報端末１」と医師ＡのＩＤ情報「ＤＡ」は関連づけられ、無線ＬＡＮ１８を介して医用情報サーバ１３に送信され、医用情報サーバ１３のＣＰＵ１３２によって大容量メモリ１３１に保存される。
【００６３】
次いで、携帯情報端末９０のＣＰＵ１１３は、図８（ｂ）に示した医用情報参照計画において設定された患者情報（例えば、患者ＩＤとする。）を無線ＬＡＮ１８を介して医用情報サーバ１３に供給する（図７のステップＳ１２）。
【００６４】
一方、医用情報サーバ１３の大容量メモリ１３１には、医師Ａを含む複数の医師によって収集された内科、小児科、外科、脳外科等における医用情報と、この医用情報に対応した第１の医用情報リストが予め保存されている。
【００６５】
医用情報サーバ１３のＣＰＵ１３２は、大容量メモリ１３１の第１の医用情報リストの中から携帯情報端末９０からの上記参照計画情報に対応する医用情報項目を抽出して、新たな医用情報リスト（第２の医用情報リスト）を作成し、この第２の医用情報リストを無線ＬＡＮ１８を介して携帯情報端末９０に送信する。携帯情報端末９０のＣＰＵ１１３は、その第２の医用情報リストをメモリ１１４に保存する。次に、ＣＰＵ１１３は、この第２の医用情報リストをメモリ１１４から読み出し、表示部１１２に表示する（図７のステップＳ１３）。
【００６６】
図９は、参照計画情報に基づいて医用情報サーバ１３のＣＰＵ１３２によって作成された第２の医用情報リストを示したものであり、例えば、同じ患者ＩＤ「００１」について、異なる画像診断装置（例えば、ＭＲＩ、Ｘ線ＣＴ、超音波）によって得られた医用情報や、同じ画像診断装置（Ｘ線ＣＴ）を用い検査日（０２／０９／０７と０３／０１／０５）を異にして得られた医用情報や、更には、複数の方向から撮影された医用情報などに対応する医用情報項目が、この第２の医用情報リストに記載されている。
【００６７】
一方、医用情報サーバ１３のＣＰＵ１３２は、上記第２の医用情報リストの医用情報をネットワーク１７を介して医用情報ビューア１２に送信する。医用情報ビューア１２のＣＰＵ１２５−１はその医用情報をメモリ１２１−１に保存する。
【００６８】
次に、医師Ａは入力部１１１を操作して、携帯情報端末９０の表示部１１２に表示された第２の医用情報リストに対して所望のライン番号（例えば、Ｌ１）の医用情報項目を抽出し、更に、ライン番号Ｌ１の医用情報を医用情報ビューア１２の表示部１２３に表示するための表示実効コマンドを入力する（図７のステップＳ１４）。
【００６９】
この表示実効コマンドを受信した携帯情報端末９０のＣＰＵ１１３は、医師Ａによって選択されたライン番号「Ｌ１」の情報を無線ＬＡＮ１８を介して医用情報ビューア１２のＣＰＵ１２５に供給する。
【００７０】
医用情報ビューア１２のＣＰＵ１２５は、携帯情報端末９０から送られてきたライン番号「Ｌ１」の情報を受信すると、次に、ライン番号「Ｌ１」の医用情報、即ち、患者ＩＤ「００１」のファイル名「ＭＲＡ」からメモリ１２１を検索して、対応するＭＲＩ画像データを読み出し、表示部１２３に表示する（図７のステップＳ１５）。
【００７１】
尚、携帯情報端末９０の表示部１１２に表示された第２の医用情報リストに対して複数のライン番号を選択し、更に、表示方法（例えば並列表示、３次元表示、サブトラクション表示など）を入力部１１１において追加入力することによって、医用情報ビューア１２において新たな医用情報を生成して表示することも可能である。
【００７２】
医用情報ビューア１２のメモリ１２１に保存された複数の医用情報から新たな医用情報を生成する場合、大規模な画像演算あるいは信号処理が要求されるならば、医用情報ビューア１２のＣＰＵ１２５は前記複数の医用情報をメモリ１２１から読み出し、ネットワーク１７を介して処理部１５に送信する。処理部１５のＣＰＵ１５３は、その複数の医用情報をメモリ１５２に保存する。
【００７３】
次に、処理部１５の高速演算器１５１は、メモリ１５２に保存された医用情報を読み出し、同じメモリ１５２に予め保存されている画像処理プログラムあるいは信号処理プログラムを用いて携帯情報端末９０の参照計画にて指定された画像演算や信号処理を行ない、新たに医用情報を作成して再びメモリ１５２に保存する。一方、処理部１５のＣＰＵ１５３は、作成された医用情報をメモリ１５２から読み出し、ネットワーク１７を介して医用情報ビューア１２に送信する。そして、医用情報ビューア１２のＣＰＵ１２５はその医用情報をメモリ１２１に一旦保存する。次いで、医用情報ビューア１２のＣＰＵ１２５は、メモリ１２１から上記医用情報を読み出し、表示部１２３に表示する。参照計画において設定された患者ＩＤ「００３」、「００６」、「００４」、・・・の医用情報についても同様の手順によって医用情報ビューア１２において参照することができる。
【００７４】
以上述べた本発明の第３の実施の形態によれば、医師は専用の携帯情報端末９０において予め設定した医用情報参照計画に基づいて所望の医用情報を医用情報ビューア１２において参照することができるため、効率のよい医用情報の参照を行なうことができる。
【００７５】
更に、複数の医師が、それぞれ専用の携帯情報端末９０において医用情報参照計画を設定し、この参照計画に基づいて所望の医用情報を医用情報ビューア１２において任意に表示することも可能となるため、複数の医師の間で行なわれる画像カンファレンスに本実施の形態で述べた方法を導入することにより、効率のよい画像カンファレンスを行なうことが可能となる。
【００７６】
尚、本実施の形態の説明において使用する医用情報ビューア１２の識別情報は、医師が携帯情報端末９０にマニュアル入力したが、第１の実施の形態の変形例と同様な方法により最短距離にある医用情報ビューア１２を自動認識してもよい。また、医用情報ビューア１２に入力部１２２を更に設け、この入力部１２２において医師のＩＤを入力することによって医師のＩＤ（あるいは携帯情報端末の識別情報）と参照に用いる医用情報ビューア１２の対応づけを行なってもよい。
【００７７】
以上、本発明の実施の形態について述べたが、本発明は上述した実施の形態に限定されるものではなく、種々変形して実施することが可能である。例えば、本発明の実施の形態において、管理サーバ１４、医用情報サーバ１３及び処理部１５はインターフェイス１４３、１３３、１５４とネットワーク１７を介して接続されているが、実際の装置ではこれらのユニットを一体化することによってインターフェイス１４３、１３３、１５４やＣＰＵ１４２、１３２、１５３、更にはメモリ１４１、１５２は夫々１つに纏めて設けることが可能である。また、医用情報サーバ１３に管理サーバ１４の機能をもたせてもよい。更に、上述の実施の形態では、医用画像保管通信システム５０における管理サーバ１４、医用情報サーバ１３、及び処理部１５はネットワーク１７を介して医用情報ビューア５２と接続されている場合について述べたが、ネットワークを介さずに直接接続されていてもよい。
【００７８】
一方、医用情報に対して信号処理あるいは画像処理を行なう場合、医用情報サーバ１３に保存された医用情報を直接処理部１５に供給して各種の処理を行ない、処理後の医用情報を医用情報ビューア１２に供給して表示してもよい。
【００７９】
また、医用情報リストを携帯情報端末３０、６０、９０に表示する替わりに、医用情報サーバ１３は、医用情報リストに対応した複数の縮小画像データ（インデックス画像データ）を携帯情報端末３０，６０，９０に供給し、表示部１１２において一覧表示してもよい。
【００８０】
更に、図１０（ａ）のように医用画像保管通信システム２０（あるいは５０、８０）と病院情報システム（ＨＩＳ）１００を、ネットワーク１７を介して接続する構成、あるいは図１０（ｂ）のように携帯情報端末３０（あるいは６０、９０）と病院情報システム１００を無線ＬＡＮ端末１０１を介して接続する構成とすることによって、医師Ａは、医用情報参照の対象となっている患者の電子カルテを病院情報システム１００から読み出し、携帯情報端末３０において観察することも可能となる。
【００８１】
尚、上記実施の形態において、医師は医用情報参照の実行に先立って管理サーバ１４に予め設定されている検索条件を携帯情報端末３０、６０、９０において確認し、変更の必要がある場合には、携帯情報端末３０、６０、９０より管理サーバ１４に対して、検索条件の変更を行なうことができる。
【００８２】
【発明の効果】
以上述べたように本発明によれば、携帯情報端末において医用情報参照計画を予め設定することによって、この参照計画に基づいて所望の医用情報を医用情報ビューアにおいて参照することができるため、効率のよい医用情報の参照を行なうことができる医用情報参照システム及び医用情報参照方法を提供することができる。
【図面の簡単な説明】
【図１】本発明の第１の実施の形態における医用情報参照システムの機能ブロック図。
【図２】同実施の形態における医用情報の参照手順を示すフローチャート。
【図３】同実施の形態における管理サーバの検索条件リストの具体例を示す図。
【図４】同実施の形態の携帯情報端末に表示される医用情報リストの具体例を示す図。
【図５】第２の実施の形態における医用情報参照システムの機能ブロック図。
【図６】本発明の第３の実施の形態における医用情報参照システムの機能ブロック図。
【図７】同実施の形態における医用情報の参照手順を示すフローチャート。
【図８】同実施の形態の携帯情報端末における入院患者リストと医用情報参照計画の具体例を示す図。
【図９】同実施の形態の携帯情報端末に表示される医用情報リストの具体例を示す図。
【図１０】本発明の第１乃至第３の実施の形態に病院情報システムを組み合わせた場合の機能ブロック図。
【符号の説明】
１２、５２…医用情報ビューア
１３…医用情報サーバ
１４…管理サーバ
１５…処理部
１６、１０１、１１７…無線ＬＡＮ端末
１７…ネットワーク
１８…無線ＬＡＮ
２０、５０、８０…医用画像保管通信システム
３０、６０，９０…携帯情報端末
１００…病院情報システム（ＨＩＳ）
１１１、１２２…入力部
１１２、１２３…表示部
１１３、１２５、１４２、１３２、１５３…ＣＰＵ
１１４、１２１、１４１、１５２…メモリ
１１５…受信部
１１６、１４３、１３３、１５４、１２６…インターフェイス
１２４…送信部
１３１…大容量メモリ
１５１…高速演算器
【図１】
2005034207.tif 000003
【図２】
2005034207.tif 000004
【図３】
2005034207.tif 000005
【図４】
2005034207.tif 000006
【図５】
2005034207.tif 000007
【図６】
2005034207.tif 000008
【図７】
2005034207.tif 000009
【図８】
2005034207.tif 000010
【図９】
2005034207.tif 000011
【図１０】
2005034207.tif 000012